(57)【要約】【課題】各社の電気掃除機に使用できる集塵袋のガイド板について、ガイド部を複合化してガイド部の設置個所を減少させることができ、また、装着側の種々の形態のものに簡単に合致させることができる電気掃除機用集塵袋のガイド板を提供すること。【解決手段】厚紙状のガイド板には、集塵袋の装着時に電気掃除機側に形成された案内部の形状に合わせてセットするための複数のガイド部を形成しており、このガイド部は、必要により切り抜き可能な形態にて形成していると共に、異なる形態のガイド部を複合させたガイド部として２種類以上の案内部形状に合致させることができるようにした構成である。【選択図】　　　　　　図１
2004097385.tif 000002
【特許請求の範囲】
【請求項１】
電気掃除機に内装する集塵袋の口部に取付けるガイド板であって、厚紙状のガイド板には、集塵袋の装着時に電気掃除機側に形成された装着部の形状に合わせてセットするための複数のガイド部を形成しており、このガイド部は、必要により切り抜き可能な形態にて形成していると共に、異なる形態のガイド部を複合させたガイド部として２種類以上の案内部形状に合致させることができるよう構成したことを特徴とする電気掃除機用集塵袋のガイド板。
【請求項２】
上記複合ガイド部は、少なくとも内ガイドと外ガイドからなり、内ガイドを機能させるか、内ガイドを除いて外ガイドを機能させるかを選択可能に形成しており、装着部の形態に合わせて内ガイドか外ガイドかを使用可能に構成している請求項１記載の電気掃除機用集塵袋のガイド板。
【請求項３】
上記複合ガイドは、外ガイドを切り離し可能に形成しており、内ガイドを上記外ガイドの切り離し部に形成している請求項１または２記載の電気掃除機用集塵袋のガイド板。
【発明の詳細な説明】
【０００１】
【発明の属する技術分野】
この発明は、電気掃除機に内装する集塵袋の口部に取付けるガイド板であって、掃除機メーカー各社の形状に合致させることができる共用可能な電気掃除機用集塵袋のガイド板に関する。
【０００２】
【従来の技術】
従来の電気掃除機用集塵袋のガイド板は、例えば、図８に示すように、硬質の厚紙等を用いて略方形の板状体にて口紙９０が形成されており、口紙９０の周囲に、各社の装着形態に合わせた形状とするための切欠き表示部９１〜９４や切離し表示部９５，９６が形成されている（例えば、特許文献１参照）。そして、不織布等によって形成された集塵袋に上記口紙９０を取り付けたものが、交換用集塵袋として一般に流通していて、消費者は、掃除機のメーカーに依存されることなく上記集塵袋を汎用品として購入し使用することができる。
【０００３】
上記切欠き表示部９１〜９３は、口紙９０の側部に、コ字状、Ｕ字状、長方形状等の形にマークがされたり、不連続な切れ目が設けられたりすることによって形成されるものであり、また、切欠き表示部９４は、予め円形の孔として形成されているものである。さらに、切離し表示部９５，９６は、口紙９０自体の大きさを調整するためのものであり、辺方向の全体を切り離すことができるように切り離し用の表示がされ、不連続な切れ目が形成されているものである。
【０００４】
ところで、メーカー各社の掃除機内の装着部は、それぞれが独自の設計に基づいてなされているものであるため、種々寸法が異なる形態となっており、当該口紙９０を具備する集塵袋を使用する際は、当該掃除機の装着個所が、上記切欠き表示部９１〜９４や切離し表示部９５，９６のうちのいずれに該当するかを確認して、その部分を切り離したり、切欠きを作成したりして装着するのものである。このような共用可能な集塵袋を提供することにより、消費者が集塵袋を購入する際、集塵袋の選択が容易となり、メーカーにとっては少品種の集塵袋で対応できるため低コストで提供できるメリットがある。
【０００５】
【特許文献１】
特開２０００−２８７８９７号公報（図６）
【０００６】
【発明が解決しようとする課題】
しかしなから、対応させるメーカーの数が多くなればなるほど、予め形成しておく切欠き表示部や切離し表示部が増えて各所に散在状態となり、表示部が複雑になって使い方が煩雑になる虞があった。また、口紙を成型する抜き型の形状も複雑になって抜き型の耐久性が劣るという問題点もあった。
さらに、掃除機側の装着部は、同じ位置であっても、各社でその大きさが異なる場合があり、ガイドが小さくて装着できなかったり、ガイドが大きくて遊びが大きすぎたりする欠点もあった。
【０００７】
そこで、この発明は、各社の電気掃除機に使用できる集塵袋のガイド板について、ガイド部を複合化してガイド部の設置個所を減少させることができ、また、装着側の種々の形態のものに簡単に合致させることができる電気掃除機用集塵袋のガイド板を提供することを目的としている。
【０００８】
【課題を解決するための手段及び発明の効果】
上記目的を達成するため、この発明の電気掃除機用集塵袋のガイド板は、請求項１記載のように、電気掃除機に内装する集塵袋の口部に取付けるガイド板であって、厚紙状のガイド板には、集塵袋の装着時に電気掃除機側に形成された装着部の形状に合わせてセットするための複数のガイド部を形成しており、このガイド部は、必要により切り抜き可能な形態にて形成していると共に、異なる形態のガイド部を複合させたガイド部として２種類以上の案内部形状に合致させることができるよう構成したことを特徴としている。
【０００９】
この構成のガイド板によれば、２種類以上の装着部形状に合致させることができる異なる形態のガイド部を複合させたガイド部を設けているので、電気掃除機側の装着部形状によって何れかのガイド部を選択して使用することができるようになる。したがって、複数のガイド部を形成するための抜き型の構成が簡単になり、抜き型の耐久性を向上させることができる。また、このガイド板では、掃除機に装着するまでガイド部の切り離しをしないので、製造時の生産効率が良くなる。
【００１０】
また請求項２記載のガイド板では、複合ガイド部を、少なくとも内ガイドと外ガイドから形成し、内ガイドを機能させるか、内ガイドを除いて外ガイドを機能させるかを選択可能に形成して、装着部の形態に合わせて内ガイドか外ガイドかを使用可能に構成していることを特徴としている。
この構成のガイド板では、電気掃除機の形態によって内ガイドを使用するか、内ガイドを除いて外ガイドを使用するかを選択して使用することができる。したがって、このガイド板では、１個所のガイドで異なる形態の装着部に合致させることができ、汎用性の高いガイド板を提供することができる。
【００１１】
また、請求項３記載のガイド板は、複合ガイドを、外ガイドを切り離し可能に形成しており、内ガイドを上記外ガイドの切り離し部に形成していることを特徴としている。
この構成のガイド板では、外ガイドを切り抜きにより形成することができるので、外ガイドを使用する際は、内ガイドを含めて該当個所を切り抜くことによって不要な内ガイドを除くことができ、必要な外ガイドのみを簡単に使用することができる。
【００１２】
【発明の実施の形態】
次いで、この発明の実施の形態を説明する。
図１は、実施の形態を示すガイド板の正面図、図２は、当該ガイド板を装着した集塵袋の斜視図である。
このガイド板１は、厚紙等のやや硬質な材料からなる板状体１０に、掃除機の吸引ホースを挿入する吸入口２０と、各社の掃除機の装着部の形態に合わせるための幅調整部３０と、独立したガイド部４０と、複合したガイド部５０とを形成している。
【００１３】
吸入口２０は、板状体１０の中央にホース外径と同径に形成したものであり、集塵袋と一体化する際には、吸入孔周囲との密着性を良くするためのシール材２１を装着することができる。
幅調整部３０は、板状体１０の幅方向の長さを調整することができるものであり、この実施態様では２段階に長さ調整を可能とするもので、１段目の幅調整部３０ａと２段目の幅調整部３０ｂとによって構成しており、各境界線３１はミシン目等により切断を容易化することができるものである。
【００１４】
ガイド部４０は、従来品と同様な独立したガイド部であって、掃除機特有の装着形態に合わせて設けたもので、ミシン目等による切断可能な構成のものである。
そして、複合したガイド部５０は、内ガイド５１と外ガイド５２からなるものであり、この実施形態では、内ガイド５１を円形に形成し、外ガイド５２は、内側に内ガイド５１を含んで略コ字形とした形状のものであり、いずれもその境界線をミシン目等による切断可能な構成として表示したものである。なお、内ガイド５１用のミシン目は、外ガイド５２用のミシン目より保持強度を弱くしてあり、内ガイド５１を打ち抜く際には外ガイド５２のミシン目は破れないような強度に形成してあり、内ガイド５１を押すだけで簡単に打ち抜くことができるように形成している。上記双方のミシン目の保持強度が同じ場合には、内ガイド５１を打ち抜く際に外ガイド５２を支えておくことによって内ガイド５１のみを簡単に打ち抜くことができる。
【００１５】
このガイド部５０は、内側の円形部分となった内ガイド５１のみを打ち抜いて丸孔を形成することができ、或いは、内ガイド５１部分を含んで外側の外ガイド５２を打ち抜いてサイドに開放した略コ字状の切欠きを形成することもでき、掃除機の装着形態に合わせて適当なガイド部を形成することができるものである。このガイド板１は、図２に示すように、折り畳み可能な集塵袋Ｄの口部に装着して製品化されるものである。そして、装着時には電気掃除機の装着部形状に合わせて、幅調整部３０や独立したガイド部４０、複合したガイド部５０の使用個所を決定する。
【００１６】
特に、この発明に係る複合ガイド部５０にあっては、内ガイド５１を使用したり、或いは外ガイド５２を使用したりして、装着部の形態に簡単、かつ確実に適合させることができるものであり、種々の形態の電気掃除機の装着部に合致させることができる。
上記ガイド板１の製造において、上記複合ガイド部５０を成型する場合には、１個所の金型で２つのガイド部５１，５２を成型することができるので、２個所以上に分離したガイド部を成型する金型に比べて、構成や取扱いが簡単になると共に、金型の耐久性も向上する。
【００１７】
なお、上記実施の形態において示した複合ガイド部５０は、例えば図３に示すように、内ガイド５１と外ガイド５２をサイド寄りに形成して半円状のものとした構成のものでも良い。また、図４に示すように、板状体１０のサイドから離れた内側に形成した内ガイド５１’５２’として形成することもできる。この内ガイド５１’は、内側に＋字状の切り込みを設けており、丸孔状に切り抜くことなく内ガイド５１’を使用する態様とすることもできる。
【００１８】
図５はこの発明の他の実施の形態を示す正面図である。
このガイド板１は、複合ガイド部５０のうち、内ガイド５３を鋸歯状の凹凸部として互いに対向する形態に設けたものであり、内ガイド５３間を開放した形状とするか、若しくは簡単に打ち抜くことができる形状としたものである。
この複合ガイド部５０においても、鋸歯状の凹凸部に挟まれた空間を内ガイド５３として使用したり、この内ガイド５３を切り離して外側の略Ｕ字状部分を外ガイド５２として選択的に使用することができる。
【００１９】
さらに、図６に示したガイド板１は、上記の内ガイド５３の変更例であり、複合ガイド部５０のうち、内ガイド５３の鋸歯状の凹凸部に代えて、台形状の内ガイド５４を対向させた形状としたものである。このガイド板１においても、内ガイド５４の先端間を使用したり、内ガイド５４部分を含んで切り離した外ガイド５２としても使用できるものである。
また、図７に示したガイド板１は、複合ガイド部５０として、内ガイド５５をＴ字状に形成した切れ目線にて構成した例を示している。この実施形態の複合ガイド部５０では、内ガイド５５の切れ目によって装着部の形態に合わせることができ、また、内ガイド５５と共に切り抜いて形成した外ガイド５５としても使用することができるものである。
【００２０】
なお、上記した実施の形態において内ガイドを使用する際は、打ち抜いて内ガイドとする場合について説明したが、予め開放した形態の内ガイドを形成することもでき、製造工程や不要部の廃棄等を考慮して決定することができるものである。
なお、板状体１１の材質としては、加工の容易さ、コスト面の有利さにおいて硬質の厚紙としているが、合成樹脂材料、その他の材料を用いることができる。
【図面の簡単な説明】
【図１】この発明の実施の形態を示すガイド板の正面図である。
【図２】上記ガイド板を集塵袋に装着した斜視図である。
【図３】上記実施の形態の変更例を示す正面図である。
【図４】上記実施の形態の変更例を示す正面図である。
【図５】この発明の他の実施の形態を示す正面図である。
【図６】この発明のさらに他の実施の形態を示す正面図である。
【図７】この発明の他の実施の形態を示す正面図である。
【図８】従来の口紙を示す正面図である。
【符号の説明】
１　　　ガイド板
５０　　複合ガイド部
５１，５３，５４，５５　　内ガイド
５２　　外ガイド
【図１】
2004097385.tif 000003
【図２】
2004097385.tif 000004
【図３】
2004097385.tif 000005
【図４】
2004097385.tif 000006
【図５】
2004097385.tif 000007
【図６】
2004097385.tif 000008
【図７】
2004097385.tif 000009
【図８】
2004097385.tif 000010
【手続補正書】
【提出日】平成14年9月20日(2002.9.20)
【手続補正１】
【補正対象書類名】明細書
【補正対象項目名】００１７
【補正方法】変更
【補正の内容】
【００１７】
なお、上記実施の形態において示した複合ガイド部５０は、例えば図３に示すように、内ガイド５１と外ガイド５２をサイド寄りに形成して半円状のものとした構成のものでも良い。また、内ガイドは、図４に示すように、内側に＋字状の切り込みを設けて、丸孔状に切り抜くことなくガイドとして使用可能な内ガイド５１’として形成することもできる。


【手続補正２】
【補正対象書類名】図面
【補正対象項目名】図４
【補正方法】変更
【補正の内容】
【図４】
2004097385.tif 000011